(57)【要約】【課題】テレビ番組の内容と関連する、視聴者の欲する情報を効果的に提供する。【解決手段】ユーザの嗜好情報をユーザと対応付けて登録するユーザ嗜好情報登録手段と、デジタルテレビに内蔵されたブラウザからユーザの視聴番組情報を取得するユーザ視聴番組情報取得手段と、取得したユーザの視聴番組情報に基づき、放送番組から特徴語を抽出する番組内容抽出手段と、抽出した特徴語に基づいてネットワーク検索を行う検索手段と、検索結果を前記ブラウザに送信する関連情報送信手段とを備える。【選択図】図１
2010200175.tif 000002
【特許請求の範囲】
【請求項１】
ユーザの嗜好情報をユーザと対応付けて登録するユーザ嗜好情報登録手段と、
デジタルテレビに内蔵されたブラウザからユーザの視聴番組情報を取得するユーザ視聴番組情報取得手段と、
取得したユーザの視聴番組情報に基づき、放送番組から特徴語を抽出する番組内容抽出手段と、
抽出した特徴語に基づいてネットワーク検索を行う検索手段と、
検索結果を前記ブラウザに送信する関連情報送信手段と
を備えたことを特徴とする情報提供装置。
【請求項２】
請求項１に記載の情報提供装置において、
前記番組内容抽出手段は、
放送番組のデジタル音声データからテキスト変換を行って得たテキスト列からの特徴語の抽出、
放送番組のデジタル文字データからの特徴語の抽出、
放送番組に付されたタグの抽出
のいずれかまたは組み合わせにより特徴語の抽出を行う
ことを特徴とする情報提供装置。
【請求項３】
ユーザの嗜好情報をユーザと対応付けて登録するユーザ嗜好情報登録工程と、
デジタルテレビに内蔵されたブラウザからユーザの視聴番組情報を取得するユーザ視聴番組情報取得工程と、
取得したユーザの視聴番組情報に基づき、放送番組から特徴語を抽出する番組内容抽出工程と、
抽出した特徴語に基づいてネットワーク検索を行う検索工程と、
検索結果を前記ブラウザに送信する関連情報送信工程と
を備えたことを特徴とする情報提供方法。
【発明の詳細な説明】
【技術分野】
【０００１】
本発明は、インターネット等のネットワークを介して情報を提供する技術に関する。
【背景技術】
【０００２】
テレビ番組の視聴中に、番組の中で取り上げられている事項や登場する人・物についての情報を知りたくなる場合がある。
【０００３】
特許文献１には、デジタル放送番組の関連情報を、情報内容による取捨選択を行わずにサーバ側から受信端末側に送信し、受信端末ではユーザの嗜好情報に基づいて関連情報を選択して表示する技術が開示されている。
【０００４】
特許文献２には、デジタル放送データに含まれる広告情報をデジタルテレビ内に蓄積し、番組属性情報に基づいて広告情報を選択して表示する技術が開示されている。
【０００５】
特許文献３には、データ放送番組中の商品情報を抽出し、その商品情報に基づいてネットワークを介し商品情報に対応する価格情報を収集して表示する技術が開示されている。
【先行技術文献】
【特許文献】
【０００６】
【特許文献１】特開２００２−２３２３７２号公報
【特許文献２】特開２００２−２４７４７１号公報
【特許文献３】特開２００６−２２２８３９号公報
【発明の概要】
【発明が解決しようとする課題】
【０００７】
上述したように、特許文献１〜３には放送番組と連動して関連情報、広告情報および価格情報を提供する技術が開示されているが、それぞれ次のような問題があった。
【０００８】
特許文献１は、ユーザの嗜好情報に基づいて関連情報の選択を行うものの、関連情報はサーバ側で用意された内容に限定されるものであり、情報収集の範囲や情報鮮度の点で充分ではない。
【０００９】
特許文献２は、提供する情報内容が放送局側で用意された広告情報に限定され、番組属性情報との関連で広告情報が選択されるものであるため、視聴者が真に欲する情報を提供できるものではない。
【００１０】
特許文献３は、提供する情報内容が商品の価格情報に限定されるものであるため、視聴者が真に欲する情報を提供できるものではない。
【００１１】
本発明は上記の従来の問題点に鑑み提案されたものであり、その目的とするところは、テレビ番組の内容と関連する、視聴者の欲する情報を効果的に提供することのできる情報提供装置を提供することにある。
【課題を解決するための手段】
【００１２】
上記の課題を解決するため、本発明にあっては、請求項１に記載されるように、ユーザの嗜好情報をユーザと対応付けて登録するユーザ嗜好情報登録手段と、デジタルテレビに内蔵されたブラウザからユーザの視聴番組情報を取得するユーザ視聴番組情報取得手段と、取得したユーザの視聴番組情報に基づき、放送番組から特徴語を抽出する番組内容抽出手段と、抽出した特徴語に基づいてネットワーク検索を行う検索手段と、検索結果を前記ブラウザに送信する関連情報送信手段とを備える情報提供装置を要旨としている。
【００１３】
また、請求項２に記載されるように、請求項１に記載の情報提供装置において、前記番組内容抽出手段は、放送番組のデジタル音声データからテキスト変換を行って得たテキスト列からの特徴語の抽出、放送番組のデジタル文字データからの特徴語の抽出、放送番組に付されたタグの抽出のいずれかまたは組み合わせにより特徴語の抽出を行うようにすることができる。
【００１４】
また、請求項３に記載されるように、ユーザの嗜好情報をユーザと対応付けて登録するユーザ嗜好情報登録工程と、デジタルテレビに内蔵されたブラウザからユーザの視聴番組情報を取得するユーザ視聴番組情報取得工程と、取得したユーザの視聴番組情報に基づき、放送番組から特徴語を抽出する番組内容抽出工程と、抽出した特徴語に基づいてネットワーク検索を行う検索工程と、検索結果を前記ブラウザに送信する関連情報送信工程とを備える情報提供方法として構成することができる。
【発明の効果】
【００１５】
本発明の情報提供装置にあっては、テレビ番組の内容と関連する、視聴者の欲する情報を効果的に提供することができる。
【図面の簡単な説明】
【００１６】
【図１】本発明の一実施形態にかかるシステムの構成例を示す図である。
【図２】情報提供サーバのハードウェア構成例を示す図である。
【図３】ユーザ情報データベースのデータ構造例を示す図である。
【図４】番組情報データベースのデータ構造例を示す図である。
【図５】実施形態の処理例を示すシーケンス図（その１）である。
【図６】実施形態の処理例を示すシーケンス図（その２）である。
【図７】ユーザ嗜好情報登録ページの画面例を示す図である。
【図８】特徴語抽出のパターン例を示す図である。
【図９】関連情報の表示例を示す図である。
【発明を実施するための形態】
【００１７】
以下、本発明の好適な実施形態につき説明する。
【００１８】
＜構成＞
図１は本発明の一実施形態にかかるシステムの構成例を示す図である。
【００１９】
図１において、インターネット等のネットワーク１には、デジタルテレビ２とユーザ端末３とが接続されている。
【００２０】
デジタルテレビ２は、デジタル放送を受信して表示するデジタル放送受信部２１と、機器組込型のブラウザ（Ｗｅｂブラウザ）２２とを備えている。ブラウザ２２は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００２１】
ブラウザ２２の内部に図示された関連情報要求プラグイン２３は、デジタル放送受信部２１での視聴番組情報と認証情報とを、起動時と視聴チャンネル変更時にブラウザ２２から後述する情報提供サーバ４に送信する制御を行うプログラムである。関連情報要求プラグイン２３は、予めブラウザ２２にプリセットによりインストールされるか、情報提供サーバ４からダウンロードされる。認証情報は情報提供サーバ４へのユーザ嗜好情報登録時に付与されるものであり、情報提供サービスを受けるユーザを特定するためのものである。
【００２２】
ユーザ端末３は、携帯電話、ＰＤＡ（Portable Digital Assistants）、ＰＣ（Personal Computer）等の機器であり、一般的なブラウザ（Ｗｅｂブラウザ）３１を有している。なお、ユーザ端末３はデジタルテレビ２に代わってユーザ嗜好情報登録を行うために用いられるものであり、デジタルテレビ２によってユーザ嗜好情報登録を行う場合には省略することができる。
【００２３】
一方、ネットワーク１には、デジタルテレビ２から送信される視聴番組情報に基づいて関連情報の提供を行う情報提供サーバ４と、一般的なＷｅｂ検索を行うＷｅｂ検索サーバ６とが接続されている。
【００２４】
情報提供サーバ４は、機能部として、ユーザ嗜好情報登録部４１とプラグイン送信部４２と認証処理部４３とユーザ視聴番組情報取得部４４と番組内容抽出部４５とＷｅｂ検索部４６と関連情報送信部４７とを備えている。これらの機能部は、情報提供サーバ４を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００２５】
また、情報提供サーバ４が参照するデータベースとして、ユーザ情報データベース５１と番組情報データベース５２とが設けられている。これらのデータベースは、各データベースを保持するコンピュータ内のＨＤＤ（Hard Disk Drive）等の記憶媒体上に所定のデータを体系的に保持するものである。
【００２６】
ユーザ嗜好情報登録部４１は、デジタルテレビ２のブラウザ２２もしくはユーザ端末３のブラウザ３１からのユーザ嗜好情報登録の操作に応じてユーザＩＤ、パスワード、ユーザ嗜好情報等の情報の入力を受けてユーザ情報データベース５１に登録する機能を有している。
【００２７】
プラグイン送信部４２は、ユーザ嗜好情報登録が行われた後に、デジタルテレビ２のブラウザ２２に関連情報要求プラグイン２３を送信（ダウンロード）する機能を有している。なお、関連情報要求プラグイン２３が予めデジタルテレビ２のブラウザ２２にプリセットされている場合は関連情報要求プラグイン２３の送信を省略することができる。
【００２８】
認証処理部４３は、デジタルテレビ２のブラウザ２２が関連情報要求プラグイン２３の動作により視聴番組情報と認証情報とを送信してきた場合に、認証情報に基づいてユーザ情報データベース５１を参照し、登録ユーザに関するものであるか否かの認証を行う機能を有している。
【００２９】
ユーザ視聴番組情報取得部４４は、認証処理部４３により正常に認証された場合に、視聴番組情報を取得する機能を有している。視聴番組情報にはエリア情報とチャンネル情報とが含まれている。
【００３０】
番組内容抽出部４５は、ユーザ視聴番組情報取得部４４により取得された視聴番組情報に基づいて番組情報データベース５２を参照し、エリアを確認した後に視聴番組のデジタル音声、デジタル文字データから特徴語を抽出し、あるいは番組情報データベース５２の番組情報に付されたタグを特徴語として抽出する機能を有している。
【００３１】
Ｗｅｂ検索部４６は、番組内容抽出部４５により抽出された特徴語とユーザ情報データベース５１に登録された該当ユーザのユーザ嗜好情報に基づいて検索式を生成し、外部のＷｅｂ検索サーバ６に検索を要求し、検索結果を取得する機能を有している。
【００３２】
関連情報送信部４７は、Ｗｅｂ検索部４６の検索結果を加工してデジタルテレビ２のブラウザ２２に送信する機能を有している。
【００３３】
図２は情報提供サーバ４のハードウェア構成例を示す図である。
【００３４】
図２において、情報提供サーバ４は、システムバス４０１に接続されたＣＰＵ４０２、ＲＯＭ４０３、ＲＡＭ４０４、ＮＶＲＡＭ（Non-Volatile Random Access Memory）４０５、Ｉ／Ｆ（Interface）４０６と、Ｉ／Ｆ４０６に接続された、キーボード、マウス、モニタ、ＣＤ／ＤＶＤ（Compact Disk/Digital Versatile Disk）ドライブ等のＩ／Ｏ（Input/Output Device）４０７、ＨＤＤ４０８、ＮＩＣ（Network Interface Card）４０９等を備えている。Ｍはプログラムもしくはデータが格納されたＣＤ／ＤＶＤ等のメディア（記録媒体）である。
【００３５】
図３はユーザ情報データベース５１のデータ構造例を示す図であり、「ユーザＩＤ」「パスワード」「ユーザ嗜好情報」等の項目を有している。「ユーザＩＤ」はユーザを特定する識別記号であり、ユーザ嗜好情報登録時にユーザの入力内容に従って設定される。「パスワード」は第三者による不正なアクセスを防止するための文字列であり、ユーザ嗜好情報登録時にユーザの入力内容に従って設定される。「ユーザ嗜好情報」はデジタルテレビ２に表示される関連情報としてユーザが所望するテーマを示す任意の文字列であり、ユーザ嗜好情報登録時にユーザの入力内容に従って設定される。図示の例では、ユーザＩＤ「XXXX」のユーザは「ユーザ嗜好情報」として「サッカー」「株」が設定され、ユーザＩＤ「YYYY」のユーザは「ユーザ嗜好情報」として「映画」「ファッション」が設定されている。
【００３６】
図４は番組情報データベース５２のデータ構造例を示す図であり、「エリア」「チャンネル」「放送局名」「時間帯」「番組名」「タグ」等の項目を有している。これらの情報は放送局あるいは番組情報提供企業から提供される情報である。「エリア」は視聴地域を示し、「チャンネル」は視聴対象のチャンネル番号を示し、「放送局名」は放送局の名称を示し、「時間帯」は視聴の時間帯を示し、「番組名」は放送番組のタイトルを示し、「タグ」は放送番組を特徴付けるキーワード（複数可）を示している。
【００３７】
＜動作＞
図５および図６は上記の実施形態の処理例を示すシーケンス図である。
【００３８】
図５において、デジタルテレビ２のユーザが関連情報提供サービスの利用登録を行なう場合、デジタルテレビ２のブラウザ２２から情報提供サーバ４のユーザ嗜好情報登録部４１にアクセスしてユーザ嗜好情報登録ページ要求を行なう（ステップＳ１０１）。ページ要求は、インターネットの標準プロトコルであるＨＴＴＰに従ったＧＥＴメソッドとリクエストＵＲＩ（Uniform Resource Indicator）等を含むメッセージがデジタルテレビ２のブラウザ２２から情報提供サーバ４のユーザ嗜好情報登録部４１に送信されることで行なわれる。
【００３９】
これを受け、情報提供サーバ４のユーザ嗜好情報登録部４１は、内部に保持あるいは動的に生成したユーザ嗜好情報登録ページのデータをデジタルテレビ２のブラウザ２２に返送する（ステップＳ１０２）。ページデータはＨＴＭＬ等により記述されており、ＨＴＴＰのレスポンス等に従って情報提供サーバ４のユーザ嗜好情報登録部４１からデジタルテレビ２のブラウザ２２に送信される。
【００４０】
デジタルテレビ２のブラウザ２２は登録ページを表示し（ステップＳ１０３）、ユーザは所定の入力を行なう（ステップＳ１０４）。図７はユーザ嗜好情報登録ページの画面例を示す図であり、「ユーザＩＤ」と「パスワード」と「ユーザ嗜好」の入力欄が設けられている。ユーザはリモコン操作等により各入力欄に数字や文字を入力し、「ＯＫ」ボタンの押下により入力が完了する。
【００４１】
図５に戻り、ユーザ嗜好情報登録ページへの入力が完了すると、デジタルテレビ２のブラウザ２２から情報提供サーバ４のユーザ嗜好情報登録部４１に入力内容が送信される（ステップＳ１０５）。入力内容はＨＴＴＰのＰＯＳＴメソッドあるいはＰＵＴメソッド等に付加されたＨＴＭＬ等のデータとしてデジタルテレビ２のブラウザ２２から情報提供サーバ４のユーザ嗜好情報登録部４１に送信される。
【００４２】
入力内容を受信した情報提供サーバ４のユーザ嗜好情報登録部４１は、ユーザ情報データベース５１（図３）の対応する項目に入力内容を登録する（ステップＳ１０６）。
【００４３】
次いで、ユーザ嗜好情報登録部４１はプラグイン送信部４２に認証情報（ユーザＩＤ、パスワード）と返信先情報（デジタルテレビ２のブラウザ２２のＵＲＬであり、入力内容の送信メッセージの発信元ＵＲＬから取得）をプラグイン送信部４２に引き渡す（ステップＳ１０７）。これらのデータの引き渡しは情報提供サーバ４内の通信であるため、任意の形式とすることができる。
【００４４】
データの引き渡しを受けたプラグイン送信部４２は、認証情報（ユーザＩＤ、パスワード）を組み込んだ関連情報要求プラグインのファイルをデジタルテレビ２のブラウザ２２に送信（ダウンロード）する（ステップＳ１０８）。関連情報要求プラグインのファイルは、ＨＴＴＰのレスポンス等に従って情報提供サーバ４のユーザ嗜好情報登録部４１からデジタルテレビ２のブラウザ２２に送信される。
【００４５】
関連情報要求プラグインのファイルを受信したデジタルテレビ２のブラウザ２２は、関連情報要求プラグイン２３としてブラウザ２２に組み込む（保存する）とともに、関連情報要求プラグイン２３を起動する（ステップＳ１０９）。なお、デジタルテレビ２のブラウザ２２に関連情報要求プラグイン２３が既に存在する場合には、関連情報要求プラグインファイルのダウンロードを省略することができる（ヴァージョンの違いがあるため、一律にダウンロードして上書きしてもよい。）。
【００４６】
一方、デジタルテレビ２のブラウザ２２に代え、ユーザ端末３のブラウザ３１によりユーザ嗜好情報登録を行うことができる。その場合の処理は図５のステップＳ１０１〜Ｓ１０６と同様になる。この場合、関連情報要求プラグイン２３のダウンロードが必要な場合はデジタルテレビ２のブラウザ２２から別途行い、関連情報要求プラグイン２３への認証情報の設定も別途行うことになる。
【００４７】
起動した関連情報要求プラグイン２３は、デジタル放送受信部２１から現在の視聴エリアおよび視聴チャンネルを含む視聴番組情報と認証情報（ユーザＩＤ、パスワード）を情報提供サーバ４のユーザ視聴番組情報取得部４４に送信する（ステップＳ１１０）。これらの情報はＨＴＴＰのＰＯＳＴメソッドあるいはＰＵＴメソッド等に付加されたメッセージとしてデジタルテレビ２のブラウザ２２から情報提供サーバ４のユーザ視聴番組情報取得部４４に送信される。
【００４８】
視聴番組情報と認証情報を受信したユーザ視聴番組情報取得部４４は、認証処理部４３に認証情報を伴って認証要求を行う（ステップＳ１１１）。認証処理部４３は認証情報のユーザＩＤとパスワードがユーザ情報データベース５１に登録された内容と一致するか否か判断し、一致する場合は認証ＯＫを返す（ステップＳ１１２）。ユーザ視聴番組情報取得部４４と認証処理部４３の間のデータのやりとりは情報提供サーバ４内の通信であるため、任意の形式とすることができる。
【００４９】
認証ＯＫを受けたユーザ視聴番組情報取得部４４は、視聴番組情報とユーザＩＤと返信先情報を番組内容抽出部４５に引き渡す（ステップＳ１１３）。これらのデータの引き渡しは情報提供サーバ４内の通信であるため、任意の形式とすることができる。
【００５０】
視聴番組情報とユーザＩＤと返信先情報の引き渡しを受けた番組内容抽出部４５は、番組情報データベース５２（図４）を参照してエリアを確認し（ステップＳ１１４）、視聴中の番組から特徴語を抽出する（ステップＳ１１５）。
【００５１】
図８は番組内容抽出部４５による特徴語抽出のパターン例を示す図である。図８（ａ）は該当するチャンネルのデジタル音声データからテキスト変換を行うことによりテキスト列を取得し、その中から特徴語を抽出するものである。特徴語の抽出には、形態素解析、辞書との最長一致判断、出現頻度によるランキング等の自然言語解析の技術を用いることができる。
【００５２】
図８（ｂ）は該当するチャンネルのデジタル文字データから特徴語を抽出するものである。
【００５３】
図８（ｃ）は番組情報データベース５２の該当するエリア、チャンネルおよび時間帯（現在時刻が含まれる時間帯）の番組に付された「タグ」を抽出して特徴語とするものである。
【００５４】
これらは、いずれか一つのパターンのみを行ってもよいが、ここでは３パターンによる特徴語の抽出を並行して行うものとしている。
【００５５】
なお、視聴番組情報の視聴エリアが情報提供サーバ４の設置されたエリアとは異なる場合、該当するデジタル放送を受信できない場合がある。その場合は、デジタル放送受信部（チューナ）を含む番組内容抽出部４５と同様な機能を、他のエリアに配置したサーバに設け、そのサーバに対して特徴語の抽出を依頼し、抽出結果を返送させるようにする。
【００５６】
図５に戻り、番組内容抽出部４５は、抽出した特徴語とユーザＩＤと返信先情報をＷｅｂ検索部４６に引き渡す（ステップＳ１１６）。これらのデータの引き渡しは情報提供サーバ４内の通信であるため、任意の形式とすることができる。
【００５７】
特徴語とユーザＩＤと返信先情報の引き渡しを受けたＷｅｂ検索部４６は、ユーザ情報データベース５１に対してユーザＩＤをキーにして検索することで、該当するユーザ嗜好情報を取得する（ステップＳ１１７）。
【００５８】
次いで、Ｗｅｂ検索部４６は、番組内容抽出部４５から引き渡された特徴語とユーザ情報データベース５１から取得したユーザ嗜好情報から検索式を生成する（ステップＳ１１８）。すなわち、番組内容抽出部４５から引き渡された特徴語が複数ある場合はそれらを「ＯＲ」結合し、ユーザ情報データベース５１から取得したユーザ嗜好情報が複数ある場合はそれらを「ＯＲ」結合し、ＯＲ結合した両者を「ＡＮＤ」結合して検索式を生成する。
【００５９】
次いで、Ｗｅｂ検索部４６は、生成した検索式による検索要求をＷｅｂ検索サーバ６に対して行い（ステップＳ１１９）、検索結果を得る（ステップＳ１２０）。検索結果は、検索式に合致した率の高いものからリスト化された、記事本文へのリンクを含むタイトルおよび要約となっている。Ｗｅｂ検索サーバ６への検索要求はＨＴＴＰに従ったＧＥＴメソッド等により行われ、検索結果はＨＴＴＰのレスポンス等により行われる。
【００６０】
次いで、Ｗｅｂ検索部４６は、取得した検索結果と返信先情報を関連情報送信部４７に引き渡す（ステップＳ１２１）。これらのデータの引き渡しは情報提供サーバ４内の通信であるため、任意の形式とすることができる。
【００６１】
検索結果と返信先情報の引き渡しを受けた関連情報送信部４７は、検索結果のレイアウト、文字種類、文字サイズ等の加工を行い（ステップＳ１２２）、返信先情報に基づいてデジタルテレビ２のブラウザ２２に関連情報を送信する（ステップＳ１２３）。関連情報はＨＴＭＬ等により記述されており、ＨＴＴＰのレスポンス等に従って情報提供サーバ４の関連情報送信部４７からデジタルテレビ２のブラウザ２２に送信される。
【００６２】
関連情報を受信したデジタルテレビ２のブラウザ２２は、デジタル放送受信部２１により視聴中の番組と併せて関連情報の表示を行う（ステップＳ１２４）。図９は関連情報の表示例を示す図であり、縮小表示されたデジタル放送画面の隣に、関連情報画面＃１、＃２、＃３として表示している。ここで、関連情報画面＃１、＃２、＃３は特徴語抽出のパターン（図８）に対応させることを想定している。
【００６３】
その後、図６において、番組内容抽出部４５は、所定時間の経過の度に特徴語の抽出を行い（ステップＳ１３１）、抽出した特徴語とユーザＩＤと返信先情報をＷｅｂ検索部４６に引き渡す（ステップＳ１３２）。これは、時間の経過に伴って番組内容が変化するため、提示すべき関連情報も変化させる必要があるからである。
【００６４】
特徴語とユーザＩＤと返信先情報の引き渡しを受けたＷｅｂ検索部４６は、ユーザ情報データベース５１に対しユーザＩＤをキーにして検索することで、該当するユーザ嗜好情報を取得する（ステップＳ１３３）。ユーザ嗜好情報は追加のユーザ嗜好情報登録により変化している可能性がある。
【００６５】
次いで、Ｗｅｂ検索部４６は、番組内容抽出部４５から引き渡された特徴語とユーザ情報データベース５１から取得したユーザ嗜好情報から検索式を生成し（ステップＳ１３４）、生成した検索式による検索要求をＷｅｂ検索サーバ６に対して行い（ステップＳ１３５）、検索結果を得る（ステップＳ１３６）。
【００６６】
次いで、Ｗｅｂ検索部４６は、取得した検索結果と返信先情報を関連情報送信部４７に引き渡し（ステップＳ１３７）、関連情報送信部４７は、検索結果のレイアウト、文字種類、文字サイズ等の加工を行い（ステップＳ１３８）、返信先情報に基づいてデジタルテレビ２のブラウザ２２に関連情報を送信する（ステップＳ１３９）。関連情報を受信したデジタルテレビ２のブラウザ２２は、デジタル放送受信部２１により視聴中の番組と併せて関連情報の表示を行う（ステップＳ１４０）。
【００６７】
その後、デジタルテレビ２のデジタル放送受信部２１において視聴チャンネルの切り替えが行われると（ステップＳ１５１）、ブラウザ２２の関連情報要求プラグイン２３はそれを検出し、現在の視聴エリアおよび視聴チャンネルを含む視聴番組情報と認証情報を情報提供サーバ４のユーザ視聴番組情報取得部４４に送信する（ステップＳ１５２）。その後の動作は図５のステップＳ１１１〜Ｓ１２４、図６のステップＳ１３１〜Ｓ１４０と同様である。
【００６８】
＜総括＞
以上説明したように、本実施形態によれば、テレビ番組の内容と関連する、視聴者の欲する情報を効果的に提供することができる。
【００６９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００７０】
１        ネットワーク
２        デジタルテレビ
２１      デジタル放送受信部
２２      ブラウザ
２３      関連情報要求プラグイン
３        ユーザ端末
３１      ブラウザ
４        情報提供サーバ
４１      ユーザ嗜好情報登録部
４２      プラグイン送信部
４３      認証処理部
４４      ユーザ視聴番組情報取得部
４５      番組内容抽出部
４６      Ｗｅｂ検索部
４７      関連情報送信部
５１      ユーザ情報データベース
５２      番組情報データベース
６        Ｗｅｂ検索サーバ
【図１】
2010200175.tif 000003
【図２】
2010200175.tif 000004
【図３】
2010200175.tif 000005
【図４】
2010200175.tif 000006
【図５】
2010200175.tif 000007
【図６】
2010200175.tif 000008
【図７】
2010200175.tif 000009
【図８】
2010200175.tif 000010
【図９】
2010200175.tif 000011